(57)【要約】【課題】連続撮影の最中に被写体の移動によって、電子ビューファインダに表示される電子被写体像の焦点不良を、撮影者が認識することができる、撮影者にとって使い勝手の良いデジタル一眼レフカメラを提供する。【解決手段】撮像手段２７と、ファインダ光学系３０と、可動ミラー２４と、表示手段８と、連続撮像動作の際、可動ミラー２４をアップ位置にしたまま撮像動作および画像表示動作を繰り返す動作を実行する連続撮像制御手段４１と、撮像された電子画像からコントラスト値を算出するコントラスト判定手段と、コントラスト値より、連続撮像動作中の最新のコントラスト値が撮像直後のコントラスト値よりも低下しているか否かを判定する比較手段４１と、該比較手段４１によって、コントラスト値の低下が判定された場合に、上記表示手段８に警告表示を行う警告手段４１とを具備することを特徴とする。【選択図】  図２
2005024858.tif 000002
【特許請求の範囲】
【請求項１】
撮像手段を有するデジタル一眼レフカメラにおいて、
ファインダ光学系と、
上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、
上記撮像手段で撮像された被写体像を表示するための表示素子を含み、該表示素子に表示された像が上記ファインダ光学系の観察光路の一部を共用して観察可能な表示手段と、
上記可動ミラーを上記第２の位置に移動させたまま、上記撮像手段による撮像動作及び上記表示手段による画像表示動作を繰り返す連続撮像動作を実行する連続撮像制御手段と、
上記撮像手段で撮像された電子画像の特定領域のコントラスト状態を判定し、コントラスト値情報を算出して出力するコントラスト判定手段と、
該コントラスト判定手段から出力された、連続撮像開始直後の最初のコントラスト値と連続撮像動作中の最新のコントラスト値を比較し、該最新のコントラスト値が上記最初のコントラスト値よりも低下しているか否かを判定する比較手段と、
該比較手段によって、上記最新のコントラスト値が上記最初のコントラスト値よりも低下していると判定された場合に、上記表示手段に警告表示を行う警告手段と、
を具備することを特徴とするデジタル一眼レフカメラ。
【請求項２】
オートフォーカス装置をさらに具備し、上記電子画像の特定領域は、上記オートフォーカス装置の測距範囲に一致することを特徴とする請求項１に記載のデジタル一眼レフカメラ。
【請求項３】
上記コントラスト判定手段は、上記特定領域における最大輝度と最小輝度を示す画素をそれぞれ抽出し、その輝度差に応じて上記コントラスト値を算出することを特徴とする請求項１に記載のデジタル一眼レフカメラ。
【請求項４】
上記比較手段は、上記最初のコントラスト値と上記最新のコントラスト値の差が、前記最初のコントラスト値から決定した所定値以上のときに、上記最新のコントラスト値が上記最初のコントラスト値よりも低下したと判定することを特徴とする請求項１に記載のデジタル一眼レフカメラ。
【請求項５】
撮像手段を有するデジタル一眼レフカメラにおいて、
被写体を観察するためのファインダ光学系と、
上記撮像手段の撮像光路内にあって、被写体観察時の際には被写体光束を上記ファインダ光学系に導く第１の位置にあり、上記撮像手段による撮像動作の際には上記撮像光路から退避した第２の位置に移動する可動ミラーと、
上記可動ミラーを上記第２の位置に移動させた状態で、上記撮像手段による撮像動作を連続的に実行させる連続撮像制御手段と、
上記撮像手段で撮像された電子画像のコントラスト状態を判定し、コントラスト値情報を出力するコントラスト判定手段と、
連続撮像開始後の異なるタイミングで上記コントラスト判定手段から出力された複数のコントラスト値を比較し、その差が所定値以上の場合に警告を行う警告手段と、
を具備することを特徴とするデジタル一眼レフカメラ。
【請求項６】
上記コントラスト判定手段は、上記撮像手段で撮像された上記電子画像の一部の領域のコントラスト状態を判定することを特徴とする請求項５に記載のデジタル一眼レフカメラ。
【請求項７】
上記警告手段は、連続撮像開始後の最初のコントラスト値と連続撮像中の最新のコントラスト値を比較し、その差が最初のコントラスト値から決定した上記所定値以上の場合に警告を行うことを特徴とする請求項５に記載のデジタル一眼レフカメラ。
【請求項８】
上記警告手段は、上記ファインダ光学系の一部を共用して撮像者が視認できる表示を行うものであることを特徴とする請求項５に記載のデジタル一眼レフカメラ。
【請求項９】
上記警告手段は、ファインダ接眼部近傍に設けられた表示素子であることを特徴とする請求項５に記載のデジタル一眼レフカメラ。
【発明の詳細な説明】
【０００１】
【発明の属する技術分野】
本発明は、デジタル一眼レフカメラ、詳しくは、ファインダ光学系を用いて被写体を観察し、固体撮像素子を用いて被写体像を撮像するデジタル一眼レフカメラに関する。
【０００２】
【従来の技術】
周知のように、銀塩フィルムを用いる一眼レフカメラのファインダ装置は、光学被写体像を観察する、ペンタプリズムやポロプリズム等の光学部材を用いて構成された光学式ファインダが一般的であるが、デジタル式の一眼レフカメラのファインダ装置は、光学式ファインダ装置にさらに表示素子を配設して、該表示素子に撮像素子の出力を表示し、電子被写体像をファインダから観察する、所謂電子ビューファインダとして構成することも可能である。また、このような電子ビューファインダの状態と光学式ファインダの状態とを任意に切り換えることのできるファインダ装置も知られるところである。
【０００３】
ところで、光学式ファインダと電子ビューファインダとを共用するデジタル一眼レフカメラにおいては、連続撮像（連写）動作を高速化することができる利点がある。
【０００４】
本出願人は、このような利点に鑑みて、連写動作の開始に伴って光学ファインダの可動ミラーを撮像光路から待避させたままとし、その際、撮像した電子画像を光学式ファインダによる光学被写体像に代えて電子ビューファインダにて電子被写体像を観察するようにした、光学式ファインダと電子ビューファインダを共用したファインダ装置を特許文献１に提案している。
【０００５】
このようにファインダ装置を構成すれば、連写の際に可動ミラーをアップダウンさせる必要がなくなるので、高速動作する可動ミラーによる騒音や振動を抑制でき、かつ連写速度を高速化することができるという多大な利点がある。
【０００６】
【特許文献１】
特願２００２−６５０２号公報
【０００７】
【発明が解決しようとする課題】
ところで、連写速度を高速化するためには、１回の撮像の都度、測距を行うわけにはいかないので、連写中は、連写開始前に測距した焦点位置に撮影レンズを固定しておくのが一般的である。
【０００８】
しかしながら、連写中に被写体が移動してしまうと、撮影レンズの焦点距離が変化してしまい、被写体の焦点（ピント）がずれてしまう。この場合、従来の光学式ファインダであれば、撮影者は、光学被写体像のピントのずれが視認できるので、その時点で連写を一旦中止すれば良いが、電子ビューファインダの場合には、表示される電子被写体像は、撮影者に視認しやすいようにコントラスト、明るさ、輪郭強調等の処理が行われており、また、高速表示をするための規定の圧縮処理が行われているので、電子被写体像からピントのずれが視認し難いといった問題がある。
【０００９】
この結果、ピントのずれた写真を数多く記録してしまうことになり、またピント不良写真に気付かずに、記録された写真をプリントアウトしてしまう虞があるので、撮影者にとって、非常に使い勝手が悪い。また、このことについては、上記特許文献１では、何ら考慮がなされていない。
【００１０】
本発明は、上記問題点に鑑みてなされたものであり、その目的は、連続撮影の最中に被写体の移動によって電子ビューファインダに表示される電子被写体像の焦点不良を、撮影者が認識することができる、撮影者にとって使い勝手の良いデジタル一眼レフカメラを提供するにある。
【００１１】
【課題を解決するための手段、及び作用】
上記の目的を達成するために本発明によるデジタル一眼レフカメラは、撮像手段を有するデジタル一眼レフカメラにおいて、ファインダ光学系と、上記撮像手段の撮像光路内にあって、被写体観察の際には被写体光束を上記ファインダ光学系に導く第１の位置にあり、上記撮像手段による撮像動作の際には上記撮像光路から退避した第２の位置に移動する可動ミラーと、上記撮像手段で撮像された被写体像を表示するための表示素子を含み、該表示素子に表示された像が上記ファインダ光学系の観察光路の一部を共用して観察可能な表示手段と、上記可動ミラーを上記第２の位置に移動させたまま、上記撮像手段による撮像動作及び上記表示手段による画像表示動作を繰り返す連続撮像動作を実行する連続撮像制御手段と、上記撮像手段で撮像された電子画像の特定領域のコントラスト状態を判定し、コントラスト値情報を算出して出力するコントラスト判定手段と、該コントラスト判定手段から出力された、連続撮像開始直後の最初のコントラスト値と連続撮像動作中の最新のコントラスト値を比較し、該最新のコントラスト値が上記最初のコントラスト値よりも低下しているか否かを判定する比較手段と、該比較手段によって、上記最新のコントラスト値が上記最初のコントラスト値よりも低下していると判定された場合に、上記表示手段に警告表示を行う警告手段と、を具備することを特徴とする。
【００１２】
また、オートフォーカス装置をさらに具備し、上記電子画像の特定領域は、上記オートフォーカス装置の測距範囲に一致することを特徴とし、さらに、上記コントラスト判定手段は、上記特定領域における最大輝度と最小輝度を示す画素をそれぞれ抽出し、その輝度差に応じて上記コントラスト値を算出することを特徴とし、また、上記比較手段は、上記最初のコントラスト値と上記最新のコントラスト値の差が、前記最初のコントラスト値から決定した所定値以上のときに、上記最新のコントラスト値が上記最初のコントラスト値よりも低下したと判定することを特徴とする。
【００１３】
本発明によるデジタル一眼レフカメラは、撮像手段を有するデジタル一眼レフカメラにおいて、被写体を観察するためのファインダ光学系と、上記撮像手段の撮像光路内にあって、被写体観察時の際には被写体光束を上記ファインダ光学系に導く第１の位置にあり、上記撮像手段による撮像動作の際には上記撮像光路から退避した第２の位置に移動する可動ミラーと、上記可動ミラーを上記第２の位置に移動させた状態で、上記撮像手段による撮像動作を連続的に実行させる連続撮像制御手段と、上記撮像手段で撮像された電子画像のコントラスト状態を判定し、コントラスト値情報を出力するコントラスト判定手段と、連続撮像開始後の異なるタイミングで上記コントラスト判定手段から出力された複数のコントラスト値を比較し、その差が所定値以上の場合に警告を行う警告手段と、を具備することを特徴とする。
【００１４】
また、上記コントラスト判定手段は、上記撮像手段で撮像された上記電子画像の一部の領域のコントラスト状態を判定することを特徴とし、さらに、上記警告手段は、連続撮像開始後の最初のコントラスト値と連続撮像中の最新のコントラスト値を比較し、その差が最初のコントラスト値から決定した上記所定値以上の場合に警告を行うことを特徴とし、また、上記警告手段は、上記ファインダ光学系の一部を共用して撮像者が視認できる表示を行うものであることを特徴とし、さらに、上記警告手段は、ファインダ接眼部近傍に設けられた表示素子であることを特徴とする。
【００１５】
【発明の実施の形態】
まず、本発明の実施の形態を説明するに先立ち、本発明によるデジタル一眼レフカメラの特徴を説明する。
本発明の適用されるデジタル一眼レフカメラは、ＣＣＤ等の撮像素子で被写体像を撮像するカメラであって、このデジタル一眼レフカメラには撮像動作開始を指示するためのレリーズ釦が上記カメラの外装筐体に設けられている。また、撮像モードとして、レリーズ釦を押し続けている間は撮像動作を繰り返す「連続撮像モード（以下、連写モードと称す）」と、レリーズ釦の操作で１回だけ撮像動作を実行する「一枚撮像モード（以下、単写モードと称す）」とを選択可能であり、そのためのモード釦を備えている。
【００１６】
そして、前記モード釦にて「連写モード」が選択された状態でレリーズ釦が押し続けられている間は、被写体像観察用可動ミラーを撮像光路外に退避したままにして撮像動作を繰り返すようになっている。したがって、連写中、カメラの操作者は、ファインダ光学系による光学被写体像が確認できないことになるが、本発明によるデジタル一眼レフカメラにおいては、撮像した画像を撮像直後にファインダ内に表示するための表示手段を配設し、連写中は、撮影者が光学被写体像に代わって表示手段で電子被写体像を視認するようになっている。
【００１７】
以下、図示の実施の形態によって本発明を説明する。
図１は、本発明の一実施の形態を示すデジタル一眼レフカメラを背面側から見た斜視図である。
図１に示すように、デジタル一眼レフカメラ３００の外装筐体３０１の上面右側には、撮像動作の開始を指示するための２段式スイッチで構成されたレリーズ釦３０３が配設されており、また上面左側には、上記連写モードまたは上記単写モードを設定するためのモード釦３０２が配設されている。さらに、外装筐体３０１の背面の略中央の上部左寄りには、ファインダ接眼レンズ３３を有する、被写体像を観察するためのファインダ接眼部３０４が配設されている。
【００１８】
図２は、図１のデジタル一眼レフカメラの電気回路の構成の概略を示すブロック図である。
図２に示すように、デジタル一眼レフカメラ３００は、カメラ全体の動作シーケンスを司る制御手段としてのＣＰＵ４１と、ストロボ発光ユニット１と、撮影レンズ鏡筒２０と、可動ミラー２４と、シャッタ２６と、撮像手段としての固体撮像素子２７と、ファインダ３０と、ズーム・ピント駆動回路３４と、絞り駆動回路３５と、ミラー駆動回路３６と、ＡＦセンサ駆動回路３７と、シャッタ駆動回路３８と、焦点検出装置３９と、スイッチ入力手段４２と、ＥＥＰＲＯＭ４３と、信号処理回路４５と、ストロボ制御回路４６と、ＥＰＲＯＭ４７と、ＳＤＲＡＭ４８と、フラッシュメモリ５０とで、その主要部が構成されている。
【００１９】
撮影レンズ鏡筒２０は、正レンズ２１と負レンズ２３で構成され、この正レンズ２１と負レンズ２３の間には、絞り機構２２が配設されている。撮影レンズ鏡筒２０の正レンズ２１と負レンズ２３は、ズーム・ピント駆動回路３４によって駆動制御され、前記絞り機構２２は絞り駆動回路３５によって駆動制御がなされる。
【００２０】
前記正レンズ２１と負レンズ２３の光軸上の前記負レンズ２３の後方には、中央部分の一部がハーフミラーで形成されている可動ミラー２４が第１の位置であるミラーダウンの位置と第２の位置であるミラーアップの位置とに移動し得るように配設されている。可動ミラー２４は、露光時には、固定軸２４ａの周りに回転しながら第１の位置から焦点板３１に向けてミラーアップの位置である第２の位置に跳ね上がり、撮影光路から待避するようになっている。この可動ミラー２４の中央部分の背面には、サブミラー２５が図中下方に被写体光を反射するように設けられている。
【００２１】
このサブミラー２５の反射光軸の下方には、図中略垂直方向に２つの光学系からなる２像分離のためのセパレータ光学系２８が配設され、また、該セパレータ光学系２８による被写体像の結像位置には、ＡＦセンサ２９が配設され、さらに、このＡＦセンサ２９には、ＡＦセンサ駆動回路３７が接続されている。尚、サブミラー２５、セパレータ光学系２８、及びＡＦセンサ２９は、オートフォーカス装置である焦点検出装置３９を構成している。ＡＦセンサ駆動回路３７は、焦点検出装置３９を動作させて公知の位相差法によって、後述する図４に示す特定領域であるＡＦターゲットマーク２０１で規定された被写体の測距領域（範囲）より、被写体の焦点距離を検出する。
【００２２】
ＡＦセンサ２９は、後述するマイクロプロセッサで構成される制御回路（ＣＰＵ）４１からの制御信号によって、ＡＦセンサ駆動回路３７により駆動制御される。ＣＰＵ４１は、このＡＦセンサ２９で生成された２像信号に基づいて２像の間隔（正・負レンズ２１，２３のデフォーカス量に相当する）を求め、合焦位置に撮影レンズ鏡筒２０の正レンズ２１と負レンズ２３を駆動させる駆動量データを演算する。そして、演算生成された駆動量データを基に、ズーム・ピント駆動回路３４を駆動制御して、前記撮影レンズ鏡筒２０の正・負レンズ２１、２３を合焦位置へと駆動する。
【００２３】
ズーム・ピント駆動回路３４は、既知の電磁モータ、超音波モータ等の駆動源や、これらの駆動源を制御するためのドライバ回路や、レンズの位置を検出するためのエンコーダ装置等が含まれて構成されている。特に、レンズ位置を検出するためのエンコーダは、レンズ位置に応じて被写体距離、およびズーム焦点距離をそれぞれ独立して出力するエンコーダ装置で、鏡枠の外表面に設けられた金属パターン上を接片ブラシが摺動するタイプの接触式エンコーダである。また、撮影レンズ鏡筒２０の外表面に白黒パターンを配置し、その白黒パターンをフォトリフレクタで検出する非接触式エンコーダを用いても良く、撮影レンズ鏡筒２０の基準位置からの駆動量を測定して絶対位置を検出する、所謂絶対距離エンコーダであっても良い。
【００２４】
可動ミラー２４の反射光路上には、焦点板（フォーカシングスクリーン）３１、ペンタプリズム３２、及びファインダ接眼レンズ３３で構成されるファインダ光学系が配設されている。尚、このファインダ光学系に、後述するＬＣＤモニタ８、プリズム５４、ターゲットレンズ５５、測光センサ５６を追加したものがファインダ装置（以下、ファインダと称す）３０を構成している。撮影レンズ鏡筒２０の正レンズ２１と負レンズ２３で得られた被写体光は、可動ミラー２４で反射されて、焦点板３１に結像される。撮影者は、この焦点板３１に結像された光学被写体像をペンタプリズム３２とファインダ接眼レンズ３３を介して観察光軸より視認する。
【００２５】
測光センサ５６は、ターゲットレンズ５５を介して焦点板３１に結像された光学被写体像の輝度を測光するための、例えば受光面がフォトダイオードで形成されたセンサであり、ファインダ３０内の、ファインダ接眼レンズ３３の観察光軸から偏心した測光軸上の位置にターゲットレンズ５５とともに配設されている。ＣＰＵ４１は、この測光センサ５６からの出力に応じて、例えば所定の加重平均演算を施すことにより、露光制御のための被写体輝度を算出する。
【００２６】
撮影レンズ鏡筒２０の正レンズ２１と負レンズ２３の光軸上の可動ミラー２４の後方には、シャッタ２６とＣＣＤやＣＭＯＳイメージャ等の撮像手段である固体撮像素子（以下、撮像素子と称す）２７が配設されている。
【００２７】
シャッタ２６は、シャッタ駆動回路３８によって所定秒時開放して、被写体像を撮像素子２７の図示しない受光面に結像させるものである。つまり、可動ミラー２４がミラー駆動回路３６の駆動の基で、正負レンズ２１，２３の光軸上から退避するために第２の位置に上昇し、シャッタ２６がシャッタ駆動回路３８の駆動制御の基で開状態となると、撮像素子２７の受光面上に被写体像が結像され、撮像動作が行われる。尚、後述するスイッチ入力手段４２のモード釦により連写モードが設定された際には、可動ミラー２４が第２の位置に上昇（移動）したままで、撮像素子２７による撮像動作が連続的に行われる。
【００２８】
ズーム・ピント駆動回路３４、絞り駆動回路３５、ミラー駆動回路３６、ＡＦセンサ駆動回路３７、シャッタ駆動回路３８は、マイクロプロセッサで構成されるＣＰＵ４１にデータバス５２で接続されている。また、ＣＰＵ４１には、データバス５２を介して、スイッチ入力手段４２と不揮発性メモリであるＥＥＰＲＯＭ４３が接続されている。
【００２９】
スイッチ入力手段４２は、カメラのレリーズ釦３０３（図１参照）の半押し操作に連動してオンする第１レリーズスイッチ、同釦の深押し操作に連動してオンする第２レリーズスイッチ、カメラ内のパワースイッチに連動するスイッチ、単写モードと連写モードを切り換えるためのカメラのモード釦３０２（図１参照）に連動するモードスイッチ等（いずれも不図示）の複数のスイッチから構成されており、このスイッチ入力手段４２のいずれかのスイッチ操作に基づく操作信号をＣＰＵ４１に供給する。
【００３０】
また、ＥＥＰＲＯＭ４３は、不揮発性の半導体メモリで、工場においてカメラ個々のばらつきを抑えて出荷するのに必要なカメラ毎の調整値、および測光センサ５６からの出力により、ＣＰＵ４１がＬＣＤモニタ８のバックライト８ｂの光量を規定するための係数が格納されている。
【００３１】
ＣＰＵ４１は、第１レリーズスイッチがオンになるとＡＦセンサ駆動回路３７を駆動制御して、ＡＦセンサ２９上に結像された電子被写体像（電子画像）の後述する図４に示すＡＦターゲットマーク２０１で規定された測距領域より、２像間の距離を演算し、その距離データからズーム・ピント駆動回路３４を駆動制御して、撮影レンズ鏡筒２０の正レンズ２１と負レンズ２３の焦点調整を行う。
【００３２】
また、ＣＰＵ４１は、前記第２レリーズスイッチがオンになると、ミラー駆動回路３６を駆動制御して、可動ミラー２４を光軸上から第２の位置に退避移動させると共に、測光センサ５６の出力に基づく被写体輝度情報を基に、適正絞り値とシャッタ秒時を求め、この求めた前記絞り値で絞り駆動回路３５を介して絞り機構２２を駆動し、前記シャッタ秒時で前記シャッタ駆動回路３８を介してシャッタ２６を駆動させる。また、ＥＥＰＲＯＭ４３に格納された上記係数を参照して、バックライト８ｂに供給する電流量（光量）を決定する。
【００３３】
さらに、ＣＰＵ４１は、後述する信号処理回路４５のＣＰＵ１００（図３参照）から入力された連続撮像開始直後の最初のコントラスト値と連続撮像動作中の最新のコントラスト値とを、または連続撮像開始後の異なるタイミングでＣＰＵ１００（図３参照）から入力された複数のコントラスト値を比較し、該最新のコントラスト値が上記最初のコントラスト値よりも低下しているか否かを判定する。コントラストが低下しておれば、ＣＰＵ４１は、ファインダ３０の一部を共用して、撮影レンズ鏡筒２０の正レンズ２１と負レンズ２３の合焦位置がずれた（ピントがずれた）ことを警告するための、撮像者が視認できる表示信号をＣＰＵ１００に出力する。尚、ＣＰＵ４１は、連続撮像制御手段、及び比較手段、並びに警告手段を構成している。
【００３４】
シャッタ２６の開動作によって被写体像が撮像素子２７の受光面上に結像すると、この被写体像はアナログ映像信号に変換され、さらに、信号処理回路４５においてデジタル映像信号に変換される。
【００３５】
信号処理回路４５は、後に図３で詳細に説明するが、内部にＲＩＳＣプロセッサ、カラーブロセッサ、ＪＰＥＧプロセッサを含み、前記デジタル映像信号の圧縮・伸張処理、ホワイト・バランス処理、エッジ強調処理等の画像処理や後述するＬＣＤモニタ８に出力されるコンポジット信号（輝度信号、色差信号）への変換処理等を行う。
【００３６】
また、ＣＰＵ４１と信号処理回路４５は、通信ライン５３で接続されており、映像信号の取り込みタイミング等の制御信号やデータの送受が通信ライン５３を介して行われるようになっている。
【００３７】
信号処理回路４５で生成されたコンポジット信号は、ファインダ３０内における表示手段であるＬＣＤモニタ８に出力されて電子被写体像が表示される。このＬＣＤモニタ８は、ペンタプリズム３２の第３反射面３２ａの外側に配設されている。このＬＣＤモニタ８は、画像を表示するための表示素子であるＬＣＤ（液晶表示素子）８ａと、該ＬＣＤ８ａの表示面を後方から照明するための、例えば白色ＬＥＤのバックライト８ｂを有して構成されている。尚、後述するスイッチ入力手段４２のモード釦により連写モードが設定された際には、可動ミラー２４が第２の位置に上昇（移動）したままで、ＬＣＤモニタ８による画像表示動作が連続的に行われる。
【００３８】
ペンタプリズム３２の第３反射面３２ａは、ハーフミラーになっており、ＬＣＤモニタ８との間には、凸レンズ面５４ａを含むプリズム５４が配設されている。このＬＣＤモニタ８のＬＣＤ８ａは、凸レンズ面５４ａにより焦点板３１と光学的等価に位置されている。そして、可動ミラー２４を第１の位置から第２の位置に上昇させて光学的な観察光路を遮断した状態においては、ＬＣＤ８ａに表示された画像を観察可能である。尚、ＬＣＤ８ａに表示された画像の明るさは、バックライト８ｂの白色ＬＥＤの電流供給量を変化させることで、調整することができる。
【００３９】
信号処理回路４５は、データバス５１を介して、ＥＰＲＯＭ４７，ＳＤＲＡＭ（シンクロナスダイナミックランダムアクセスメモリ）４８，及びフラッシュメモリ５０に接続されている。
【００４０】
ＥＰＲＯＭ４７には、信号処理回路４５に含まれるプロセッサで処理されるプログラムが格納されている。また、後述する信号処理回路４５のＣＰＵ１００から入力された連続撮像開始直後の最初のコントラスト値と、連続撮像動作中の最新のコントラスト値とを比較し、該最新のコントラスト値が上記最初のコントラスト値よりも低下しているか否かを判定するための基準値となる複数の所定値αのテーブルが記憶されている。尚、この複数の所定値αは、それぞれ固体撮像素子２７によって決まる設計値である。
【００４１】
ＳＤＲＡＭ４８は、画像処理前の画像データや画像処理中の画像データを一時的に記憶するメモリである。よって後述するが、連写モードを設定した場合には、連続撮像された画像データは一時的にＳＤＲＡＭ４８に記憶される。フラッシュメモリ５０は、最終的に確定された画像データを記憶する不揮発性のメモリである。ここで、ＳＤＲＡＭ４８は、揮発性の一時的記憶手段で、高速動作することができるが電源供給が停止されると記憶内容が消滅するものである。一方、フラッシュメモリ５０は、不揮発性記憶手段であり、低速だがカメラの電源がオフされても記憶内容が保存される。よって連続撮像終了後は、ＳＤＲＡＭ４８に記憶された画像データは、順次フラッシュメモリ５０に記憶される。
【００４２】
次に、ストロボ発光ユニット１について説明する。ストロボ発光ユニット１は、発光パネル３と反射傘１８と発光放電管１９とトリガ回路４４とを有しており、トリガ回路４４から出力されるトリガ信号によって、発光放電管１９内に封止されているキセノンガスが励起されて発光し、その光は反射傘１８で反射され、さらに発光パネル３を通過して被写体に向けて照射される。尚、トリガ回路４４、発光放電管１９、反射傘１８、発光パネル３は、図示しないが、例えばカメラ本体からポップアップするように構成されている。トリガ回路４４は、ストロボ制御回路４６に接続されている。ストロボ制御回路４６は、ＣＰＵ４１の制御の基で、図示しないストロボ用メインコンデンサの充電処理及びトリガ回路４４への発光指示を制御する。
【００４３】
図３は、図２における信号処理回路４５の電気回路の構成の概略とそれに接続される周辺回路を示したブロック図である。
【００４４】
この信号処理回路４５には、信号処理動作を制御する制御回路としてのＣＰＵ１００と、このＣＰＵ１００に接続され、ＣＰＵ１００からの制御信号に従って動作する複数の回路が含まれている。また、ＣＰＵ１００は、上述した図２に示したように、通信ライン５３にてカメラシーケンス制御用のＣＰＵ４１と接続されており、ＣＰＵ４１から送信された制御信号に基づいて信号処理回路４５内の各回路を制御する。また、このＣＰＵ１００は後述するが、コントラスト判定回路１０８から出力されたコントラスト値の差をＣＰＵ４１に出力し、これを受けて、該ＣＰＵ４１から撮影者にピントがずれたことを警告するための表示信号が入力された場合、ＬＣＤモニタ８に表示された電子被写体像上に、撮影者が視認できる警告表示をスーパーインポーズするよう、ビデオ・デコーダ１０４に指示信号を送信する。尚、ＣＰＵ１００は警告手段を構成している。
【００４５】
第１の画像処理回路１０１は、ＣＰＵ１００で設定された駆動条件にしたがって撮像素子２７を駆動し、撮像素子２７が出力したアナログ映像信号をＡ／Ｄ変換して電子画像のデジタル映像信号を生成する前段処理回路である。また、撮像素子２７の遮光部分の画素信号に基づいて、上記デジタル映像信号の補正を行う。
【００４６】
間引き・抽出処理回路１０２は、第１の画像処理回路１０１から出力された上記デジタル映像信号を間引き処理（解像度を低下させる処理）して、第２の画像処理回路１０６，  第３の画像処理回路１０３に出力する。また、第１の画像処理回路１０１から出力された電子画像の上記デジタル映像信号の、図４に示すＡＦターゲット範囲２０１内のデータを抽出して、該抽出した画像データを、コントラスト判定回路１０８に出力する。尚、ＡＦターゲットマーク２０１は、連写前の光学式ファインダの状態で、撮影者がファインダ接眼部３０４から視認できるものであり、主要被写体の合焦動作の際に用いられる。また、第３の画像処理回路１０３に出力する上記デジタル映像信号は、連写モードで撮影した際に、ＬＣＤモニタ８に表示される電子被写体像の信号である。
【００４７】
ここで、第２の画像処理回路１０６に出力する上記デジタル映像信号の間引きの度合いは、ユーザが設定した解像度に応じてＣＰＵ１００にて指示される。また、第３の画像処理回路１０３に出力するデジタル映像信号の間引きの度合いは、画像表示に適した解像度に応じてＣＰＵ１００にて指示される。また、間引き・抽出処理回路１０２は、上記デジタル映像信号の一部を抽出してホワイトバランス処理回路（以下、ＷＢ処理回路）１０５に出力する。抽出の方法はＣＰＵ１００が指示する。
【００４８】
ＷＢ処理回路１０５は、画像の色バランス（ホワイトバランス）を調整するためのホワイトバランス情報（ＷＢ情報）を出力する回路で、このＷＢ情報は第３の画像処理回路１０３にはダイレクトに送られ、第２の画像処理回路１０６にはＣＰＵ１００を経由して送られる。
【００４９】
第３の画像処理回路１０３は、ＬＣＤモニタ８の表示用画像を生成する回路で、上記デジタル映像信号に、γ補正，データビット数の削減，ＷＢ情報に基づく色調整，ＲＧＢ信号からＹＣｂＣｒ信号ヘの変換等の公知の処理を行う簡易後段処理回路である。一般的に、ＬＣＤモニタ８に撮像画像を繰り返し表示するためには、ソフトウェアによる処理では速度が間に合わないことが多い。したがって、表示のための画像処理はすべてこの第３の画像処理回路１０３にてハードウェア的に処理されるようになっている。
【００５０】
ビデオ・デコーダ１０４は、上記デジタル映像信号のＹＣｂＣｒ信号をＮＴＳＣ信号に変換して上記電子被写体像を形成し、該電子被写体像をＬＣＤモニタ８のＬＣＤ８に表示させる。また、このビデオ・デコーダ１０４はＣＰＵ１００からの指示により、後述する図７（ｃ）（ｄ）に示すように、撮影者にピントがずれたことを警告するための表示４０１をＬＣＤモニタ８のＬＣＤ８ａに表示された電子被写体像上にスーパーインポーズする。尚、ビデオ・デコーダ１０４は、警告手段を構成している。
【００５１】
第２の画像処理回路１０６は、フラッシュメモリ５０に記憶するための上記デジタル映像信号を生成する回路で、γ補正，上記デジタル映像信号のデータビット数の削減，ＷＢ情報に基づく色調整，ＲＧＢ信号からＹＣｂＣｒ信号への変換，撮像素子２７の欠陥画素補正，スミア補正，色相や色度等の公知の処理を行う後段処理回路である。
【００５２】
ＪＰＥＧ圧縮／伸張処理回路１０７は、第２の画像処理回路１０６で処理された上記デジタル映像信号をフラッシュメモリ５０に記憶する際にＪＰＥＧ圧縮する、または、フラッシュメモリ５０に記憶されたＪＰＥＧ画像を読み出して伸張するための回路である。
【００５３】
コントラスト判定手段であるコントラスト判定回路１０８は、間引き・抽出処理回路１０２から出力された電子画像データにおける特定領域（一部の領域）、即ちＡＦターゲットマーク２０１で囲まれた範囲の領域から、最も輝度が高い画素及び最も輝度が低画素とを抽出してコントラスト状態を判定し、その差をコントラスト値として算出して、ＣＰＵ１００に出力する。
【００５４】
次に、図５を用いて、ＣＰＵ４１の動作シーケンスを説明する。
図５は、図２のデジタル一眼レフカメラで、スイッチ入力手段４２の上記レリーズ釦３０３（図１参照）を半押し操作（第１レリーズオン操作）した後に実行される撮像動作を示したフローチャート、図６は、図５のピントずれ判定の処理を示したフローチャートである。図５のフローチャートは、ＣＰＵ４１のメインフローチャート内にてコールされるサブルーチンである。尚、ＣＰＵ４１のメインフローチャートは、従来公知の技術であるのでここでの説明は省略する。
【００５５】
ステップＳ１では、ターゲットレンズ５５を介して測光センサ５６を駆動制御して測光を行い、その測光センサ５６の出力を用いて被写体の輝度情報を測定する。そして、その輝度情報から露光量（絞り機構２２の絞り込み量、および、シャッタ２６のシャッタスピード）を所定の演算ブログラムにしたがって演算し、その後、ステップＳ２に移行する。
【００５６】
ステップＳ２では、ＡＦセンサ駆動回路３７を介してＡＦセンサ２９を駆動制御して、図４に示す電子画像の特定領域であるＡＦターゲットマーク２０１で規定された被写体の測距領域より、撮像レンズ２１，２３のデフォーカス量を測定する。そして、その測距値に基づき、撮像レンズ２１，２３の合焦動作を行って、ステップＳ３に移行する。
【００５７】
ステップＳ３では、カメラ操作者がスイッチ入力手段４２の上記レリーズ釦を深押ししているか否かを、第２レリーズスイッチがオンしているか否かで判定する。第２レリーズスイッチがオンしてなければステップＳ１９に分岐する。
【００５８】
ステップＳ１９では、カメラ操作者が次に上記レリーズ釦を半押しをしているか否かを第１レリーズスイッチがオンしているか否かによって判定する。第１レリーズスイッチがオンしておれば、レリーズ釦は半押しされていると判断し、ステップＳ３へ戻る。一方、第１レリーズスイッチがオンでなければ、カメラ操作者はレリーズ釦から指を離したと考えられるので、そのままメインフローにリターンする。
【００５９】
ステップＳ３に戻って、第２レリーズスイッチがオンしておれば上記レリーズ釦は深押しされていると判断してステップＳ４に移行し、該ステップＳ４では、ミラー駆動回路３６を介して可動ミラー２４を第１の位置から第２の位置である撮像光路外へ退避させて（ミラーアップ）、ステップＳ５に移行する。
【００６０】
ステップＳ５では、スイッチ入力手段４２の上記モード釦３０２（図１参照）により、連写モードが設定されているか否かを判定する。連写モードが設定されておれば、ステップＳ６に移行する。
【００６１】
ステップＳ６では、ステップＳ１にて演算された絞り込み量に基づいて、絞り駆動回路３５を介して、絞り機構２２の絞り込み動作を行ってステップＳ７に移行する。
【００６２】
ステップＳ７では、ＣＰＵ４１は、信号処理回路４５に対して、連続撮像開始を指示する信号を送出する。信号処理回路４５はこの信号を受けて、撮像素子２７の撮像動作（積分動作）を開始させ、その後ステップＳ８に移行する。
【００６３】
ステップＳ８では、ステップＳ１で演算したシャッタスピード（シャッタ２６の開閉時間）に基づき、シャッタ２６を開閉し、ステップＳ９に移行する。
【００６４】
ステップＳ９では、シャッタ２６を閉成した後、信号処理回路４５に１枚の撮像の停止を指示する信号を送出する。信号処理回路４５は、この信号を受けて撮像素子２７での積分動作を終了させるとともに、撮像素子２７から映像信号を読み出し、上述した上記デジタル映像信号に変換する処理、および、それに付随する画像処理、また上述したように、間引き・抽出処理回路１０２（図３参照）から出力された上記電子画像のデジタル映像信号の、ＡＦターゲットマーク２０１（図４参照）内のデータを抽出して、該抽出した画像データを、コントラスト判定回路１０８に出力する処理を実行し、ステップＳ１０に移行する。
【００６５】
ステップＳ１０では、ＣＰＵ４１は、信号処理回路４５に対して、上記デジタル映像信号の格納と表示を指示する制御信号を送出する。信号処理回路４５は、この信号を受けて上記デジタル映像信号を一時的にＳＤＲＡＭ４８の連写データ蓄積領域に順番に格納させるとともに、同データをコンポジット信号（輝度信号、色差信号）へ変換処理する。そして、このコンポジット信号をＬＣＤモニタ８へ供給して、ＬＣＤ８ａに撮像した電子被写体像を表示する。その後、ステップＳ１１に移行する。
【００６６】
ステップＳ１１では、ステップＳ９で抽出した画像データからピントずれ判定を行って、ステップＳ１２に移行する。詳しくは、図６に示すように、まず、ステップＳ２９で、コントラスト判定回路１０８は、間引き・抽出処理回路１０２から出力された上記デジタル映像信号の、ＡＦターゲットマーク２０１（図４参照）内の領域（特定領域）より抽出された画像データを読み込んでステップＳ３０に移行する。
【００６７】
ステップＳ３０では、コントラスト判定回路１０８は、間引き・抽出処理回路１０２から出力されたＡＦターゲットマーク２０１内の領域の画像データから、最も輝度が高い画素と、最も輝度が低い画素とを抽出してコントラスト状態を判定し、その差をコントラスト値として算出して、ＣＰＵ１００に出力し、その後、ステップＳ３１に移行する。
【００６８】
ステップＳ３１では、出力された画像データのコントラスト値が１回目（最初）に撮像されたものであるか否かを判定する。１回目のコントラスト値であれば、撮像レンズ２１，２３（図２参照）はピントが合っているので、ピントずれ判定を行わずに、ステップＳ３５に分岐し、該ステップＳ３５で、１回目の画像データのコントラスト値をＣＰＵ４１（図２参照）の内部レジスタのＣＮＴ１に記憶させてステップＳ３６に移行し、さらに、ステップＳ３６で、ＣＮＴ１に記憶されたコントラスト値に基づいて、ＥＰＲＯＭ４７（図２参照）の上記所定値αのテーブルから使用する所定値αを決定して、その後リターンする。尚、所定値αは、上述したように、１回目の画像データのコントラスト値に基づいて決定された値であり、１回目のコントラストによってＥＰＲＯＭ４７に記憶された固体撮像素子２７によってそれぞれ異なる設計値である複数の所定値αのテーブルを参照して求める。
【００６９】
ステップＳ３１に戻って、出力された画像データのコントラスト値が１回目に撮像されたものでなければ、ステップＳ３２に移行し、該ステップＳ３２で、ｎ回目（最新）の画像データのコントラスト値をＣＰＵ４１（図２参照）の内部レジスタのＣＮＴ２に記憶させてステップＳ３３に移行する。
【００７０】
ステップＳ３３では、ＣＰＵ１００は、ステップＳ３２でＣＮＴ２に記憶したコントラスト値と、ステップＳ３５でＣＮＴ１に記憶したコントラスト値の絶対値の差を算出して、ＣＰＵ４１に出力し、該ＣＰＵ４１は、この絶対値の差が、ステップ３６で決定した上記所定値α以上であるか否かを判定する。この絶対値の差が所定値α以上であれば、連続撮像動作中の最新の画像データは、図７（ａ）に示す連続撮像動作中の最初の画像データよりもコントラストが高くなって、図７（ｃ），（ｄ）に示すように、ピントずれが発生していると判断して、ステップＳ３４に移行する。
【００７１】
ステップＳ３４では、ＣＰＵ４１は、ＬＣＤモニタ８にピントずれ警告表示を行うよう、警告表示指示を行う、詳しくは、まず、ＣＰＵ４１は、撮影レンズ鏡筒２０の正レンズ２１と負レンズ２３の合焦位置が、連続撮像動作によって、例えば図７（ａ）に示したような合焦位置から、ピントがずれたことを撮影者に警告するための表示信号をＣＰＵ１００に出力する。該ＣＰＵ１００は、ＬＣＤモニタ８（図３参照）にピントずれ警告表示をスーパーインポーズするよう、ビデオ・デコーダ１０４に指示信号を送信する。これを受けてビデオ・デコーダ１０４は、図７（ｃ），（ｄ）に示すように、撮影者にピントがずれたことを警告するための表示、例えばＦＮＧ（Ｆｏｃｕｓ  ＮＧ）４０１をＬＣＤモニタ８のＬＣＤ８ａに表示された電子被写体像上にスーパーインポーズする。このことにより、ＬＣＤモニタ８にピントずれが発生したことを警告する表示がなされ、その後リターンする。
【００７２】
ステップＳ３３に戻って、一方、絶対値の差が所定値α未満であれば、図７（ｂ）に示すように、連続撮像動作中の最新の画像データは、ピントずれが発生していないと判定されて、ステップＳ３７に分岐し、該ステップＳ３７でＬＣＤモニタ８に何ら警告表示をせずに、その後、リターンする。
【００７３】
図５に戻って、ステップＳ１２では、ステップＳ３４での警告表示を受けて、撮影者が第２レリーズスイッチをオフしたか否かをチェックし、オフであればカメラ操作者が連写を終了させようとしていると判断してステップＳ１３に移行する。一方、オフでなければ、ステップＳ７に戻り、第２レリーズスイッチがオフになるまでステップＳ７〜ステップＳ１２までを繰り返す。つまり、この時点で第２レリーズスイッチがオフでなければ、ピントのずれは関係なく連写は継続され、ファインダ３０内には直前に撮像した電子被写体像が動画のように順次表示されることになる。
【００７４】
ステップＳ１３では、信号処理回路４５に対し、表示終了を指示する信号を出力する。信号処理回路４５は、この信号を受けてＬＣＤ８ａの表示を中止するとともに、バックライト８ｂを消灯させ、ステップＳ１４に移行する。
【００７５】
ステップＳ１４では、絞り駆動回路３５を介して絞り機構２２を絞り込み状態から開放状態に戻してステップＳ１５に移行し、該ステップＳ１５では、ミラー駆動回路３６を介して可動ミラー２４を第１の位置（ミラーダウン）である撮像光路内へ復帰させてステップＳ１６に移行し、さらにステップＳ１６では、信号処理回路４５に対し、上述したようにＳＤＲＡＭ４８に一時的に記憶されている連写画像をフラッシュメモリ５０の所定の記憶領域に記憶するよう指示し、その後リターンする。尚、この際、撮像された画像の容量によっては、ＪＰＥＧ圧縮／伸張処理回路１０７（図３参照）により、ＪＰＥＧ圧縮してからフラッシュメモリ５０に記憶しても良い。
【００７６】
ステップＳ５に戻って、スイッチ入力手段４２の上記モード釦３０２（図１参照）により、連写モードが設定されていなければ、ステップＳ２１に分岐し、該ステップＳ２１では、単写モードでの撮像動作を実行する。まず、ステップＳ１にて演算された絞り込み量に基づいて絞り駆動回路３５を介して絞り機構２２を絞り込み、ステップＳ２２に移行する。
【００７７】
ステップＳ２２では、信号処理回路４５に対して、撮像開始を指示する信号を送出する。信号処理回路４５はこの信号を受けて、撮像素子２７の撮像動作（積分動作）を開始させ、ステップＳ２３に移行する。
【００７８】
ステップＳ２３では、ステップＳ１で演算したシャッタスピード（シャッタ２６の開閉時間）に基づき、シャッタ２６を開閉して、ステップＳ２４に移行する。
【００７９】
ステップＳ２４では、シャッタ２６を閉じた後、信号処理回路４５に撮像停止を指示する信号を送出する。信号処理回路４５は、この信号を受けて撮像素子２７の積分動作を終了させるとともに、撮像素子２７から映像信号を読み出し、デジタル映像信号に変換する処理、および、それに付随する画像処理を実行する。
【００８０】
ステップＳ２５では、ＣＰＵ４１は、信号処理回路４５に対して、デジタル映像信号の格納を指示する制御信号を送出する。単写モードにおいては、連写モード時のようにデジタル映像信号を一時的にＳＤＲＡＭ４８に格納する必要はないので、信号処理回路４５はこの制御信号を受けてデジタル映像信号をフラッシュメモリ５０の所定の記憶領域に記憶する。尚、単写モードの際は、連写モード時のようなファインダ３０内での電子被写体像の表示は行わない。その後、ステップＳ２６に移行する。
【００８１】
ステップＳ２６では、絞り駆動回路３５を介して絞り機構２２を絞り込み状態から開放状態に戻してステップＳ２７に移行し、該ステップＳ２７では、ミラー駆動回路３６を介して可動ミラー２４を第１の位置（ミラーダウン）である撮像光路内へ復帰させてステップＳ２８に移行する。
【００８２】
ステップＳ２８では、第１レリーズスイッチがオフであるか否かをチェックし、オフでなければこのチェックを繰り返す。これは、単写モードにおいてはカメラ操作者がレリーズ釦から指を離すまで次の撮像動作が行われないようにするためである。オフになればメインルーチンにリターンする。
【００８３】
このように、本発明の一実施形態を示すデジタル一眼レフカメラ３００においては、連続撮像の最中に、被写体が移動することにより発生するピントずれを、連続撮像開始直後の最初のコントラスト値と連続撮像動作中の最新のコントラスト値の絶対値の差を求め、上記最初のコントラスト値から決定した所定値αよりも絶対値の差が大きい場合は、ピントずれが発生していると判断し、警告表示を、ＬＣＤモニタ８に表示される電子被写体像上にスーパーインポーズするようにした。
【００８４】
よって、撮影者は、連写中、電子ビューファインダにて、コントラスト、明るさ、輪郭強調等の処理が行われたピントずれが視認し難い電子被写体像を観察していたとしても、ピントずれが発生すると、ＬＣＤモニタ８に警告表示４０１がスーパーインポーズされるため、ピントずれを容易に認識することができ、撮像を一旦中止することができる。このことにより、ピントのずれた写真を数多く記録してしまうことがなくなるので、撮影者にとって、非常に使い勝手が良い。
【００８５】
尚、本実施の形態においては、ピントずれの警告は、ＬＣＤモニタ８に表示された電子被写体像上にスーパーインポーズ表示することにより行うようにしたが、これに限らず、図８に示すように、例えばＬＥＤ表示素子で構成した警告用表示素子５９をファインダ接眼部３０４の近傍に配設し、ピントずれが発生した旨をＣＰＵ４１からの表示信号により上記ＬＥＤを点灯させることで撮影者に警告するようにしても良い。
【００８６】
また、撮影者にピントがずれたことを警告するためのスーパーインポーズ表示は、本実施の形態においては、例えばＦＮＧ（Ｆｏｃｕｓ  ＮＧ）と示したが、撮影者がピントずれを認識することができるものであれば、どのような表示であっても良いことは、云うまでもない。
【００８７】
【発明の効果】
以上、述べたように本発明によれば、連続撮影の最中に電子ビューファインダに表示される電子被写体像の焦点不良を、撮影者が認識することができる、撮影者にとって使い勝手の良いデジタル一眼レフカメラを提供することができる。
【図面の簡単な説明】
【図１】本発明の一実施の形態を示すデジタル一眼レフカメラを背面側から見た斜視図、
【図２】図１中のデジタル一眼レフカメラの電気回路の構成の概略を示すブロック図、
【図３】図２中の信号処理回路の電気回路の構成の概略とそれに接続される周辺回路を示したブロック図、
【図４】図２中の固体撮像素子で撮像された電子画像における特定領域を示したファインダ画像図、
【図５】図２中のスイッチ入力手段のレリーズ釦を半押し操作した後に実行される撮像動作を示したフローチャート、
【図６】図５中のピントずれ判定の処理を示したフローチャート、
【図７】図２中のＬＣＤモニタ８に表示された電子被写体像に、ピントずれを警告する表示をスーパーインポーズした例を示す連続撮像画像図、
【図８】ピントずれ警告表示手段の変形例を示した斜視図。
【符号の説明】
８…ＬＣＤモニタ（表示手段）
８ａ…ＬＣＤ（表示素子）
２４…可動ミラー
２７…固体撮像素子（撮像手段）
３０…ファインダ（ファインダ光学系）
３１…焦点板（ファインダ光学系）
３２…ペンタプリズム（ファインダ光学系）
３３…ファインダ接眼レンズ（ファインダ光学系）
３７…ＡＦセンサ駆動回路（測距装置）
３９…焦点検出装置（測距装置）
４１…ＣＰＵ（連続撮像制御手段）（比較手段）（警告手段）
５９…警告用表示素子
１００…ＣＰＵ（警告手段）
１０４…ビデオ・デコーダ（警告手段）
１０８…コントラスト判定回路（コントラスト判定手段）
２０１…ＡＦターゲットマーク（特定領域）
３００…デジタル一眼レフカメラ
３０４…ファインダ接眼部
α…所定値
【図１】
2005024858.tif 000003
【図２】
2005024858.tif 000004
【図３】
2005024858.tif 000005
【図４】
2005024858.tif 000006
【図５】
2005024858.tif 000007
【図６】
2005024858.tif 000008
【図７】
2005024858.tif 000009
【図８】
2005024858.tif 000010